(57)【要約】【課題】ハイアングル撮影やローアングル撮影を行う場合に、被写体を適切に撮影することができる撮像装置を提供する。【解決手段】撮影倍率を変更可能な光学系による被写体像を撮像して画像データを生成する撮像部３と、画像データによる画像を表示する表示部１０１と、表示部１０１の表示面が鉛直方向下向きの方向または上向きの方向に変化すると撮影倍率を小さくする制御を行う制御部５とを備える撮像装置。【選択図】  図１
2018197880.tif 000002
【特許請求の範囲】
【請求項１】
撮影倍率を変更可能な光学系による被写体像を撮像して画像データを生成する撮像部と、
前記画像データによる画像を表示する表示部と、
前記表示部の表示面が鉛直方向下向きの方向または上向きの方向に変化すると前記撮影倍率を小さくする制御を行う制御部とを備える撮像装置。
【請求項２】
請求項１に記載の撮像装置であって、
前記制御部は、前記光学系の光軸に対する前記表示部の角度が大きいほど前記撮影倍率を小さくする撮像装置。
【請求項３】
請求項１または２に記載の撮像装置であって、
前記制御部は、前記表示面が鉛直方向下向きの方向に変化すると、鉛直方向上向きの方向に変化した場合よりも前記撮影倍率の変化量を大きくする撮像装置。
【請求項４】
請求項１〜３のいずれかに記載の撮像装置であって、
前記制御部は、前記表示面が鉛直方向下向きの方向または上向きの方向に変化すると、前記表示面が鉛直方向下向きの方向または上向きの方向に変化する前の撮影倍率が大きいほど、前記撮影倍率の変化量を大きくする撮像装置。
【請求項５】
撮影倍率を変更可能な光学系による被写体像を撮像して画像データを生成する撮像部と、
前記画像データによる画像を表示する表示部と、
前記表示部の表示面が鉛直方向下向きの方向に変化すると前記撮影倍率を大きくする制御を行う制御部とを備える撮像装置。
【請求項６】
請求項５に記載の撮像装置であって、
前記制御部は、前記表示部の表示面が鉛直方向上向きの方向に変化すると、前記撮影倍率を小さくする撮像装置。
【請求項７】
撮影倍率を変更可能な光学系による被写体像を撮像して画像データを生成する撮像部と、
前記画像データによる画像を表示する表示部と、
前記表示部の表示面が鉛直方向下向きの方向に変化すると、前記撮影倍率を小さくする制御を行う制御部とを備える撮像装置。
【請求項８】
請求項７に記載の撮像装置であって、
前記制御部は、前記表示部の表示面が鉛直方向上向きの方向に変化すると、前記撮影倍率を大きくする撮像装置。
【請求項９】
請求項５〜８のいずれかに記載の撮像装置であって、
前記制御部は、前記表示部の表示面が鉛直方向下向きの方向または上向きの方向に変化すると、前記光学系の光軸に対する前記表示面の角度が大きくなるほど前記撮影倍率の変化量を大きくする撮像装置。
【発明の詳細な説明】
【技術分野】
【０００１】
本発明は、撮像装置に関する。
【背景技術】
【０００２】
撮像部と表示部とを備え、撮像部の撮像面に対して、表示部の表示面の相対位置を変更可能な撮像装置が知られている（たとえば、特許文献１参照）。
【先行技術文献】
【特許文献】
【０００３】
【特許文献１】特開２００７−３００２７６号公報
【発明の概要】
【発明が解決しようとする課題】
【０００４】
撮像面に対する表示面の相対位置を変更可能な撮像装置では、撮像面に対する表示面の相対位置を変更することで、撮像装置を撮影者の目線よりも上に上げて撮影を行うハイアングル撮影や、撮像装置を撮影者の目線よりも下に下げて撮影を行うローアングル撮影において、撮影者は被写体を表示部で確認しながら、被写体を撮影することができる。しかしながら、ハイアングル撮影またはローアングル撮影を行う場合には、撮像装置が撮影者の身体から離れて保持されるため、撮影者が撮像面に対する表示面の相対位置を変更する操作を行うことでカメラ本体が撮影者の意図しない方向に向いてしまい、その結果、被写体が撮影範囲から外れ、被写体を適切に撮影できない場合があった。
【０００５】
本発明は、ハイアングル撮影やローアングル撮影を行う場合に、被写体を適切に撮影することができる撮像装置を提供することである。
【課題を解決するための手段】
【０００６】
本発明は、以下の解決手段によって上記課題を解決する。
【０００７】
[１]本発明に係る撮像装置は、撮影倍率を変更可能な光学系による被写体像を撮像して画像データを生成する撮像部と、前記画像データによる画像を表示する表示部と、前記表示部の表示面が鉛直方向下向きの方向または上向きの方向に変化すると前記撮影倍率を小さくする制御を行う制御部とを備える。
[２]上記撮像装置において、前記制御部は、前記光学系の光軸に対する前記表示部の角度が大きいほど前記撮影倍率を小さくすることができる。
[３]上記撮像装置において、前記制御部は、前記表示面が鉛直方向下向きの方向に変化すると、鉛直方向上向きの方向に変化した場合よりも前記撮影倍率の変化量を大きくすることができる
[４]上記撮像装置において、前記制御部は、前記表示面が鉛直方向下向きの方向または上向きの方向に変化すると、前記表示面が鉛直方向下向きの方向または上向きの方向に変化する前の撮影倍率が大きいほど、前記撮影倍率の変化量を大きくすることができる。
[５]本発明に係る撮像装置は、撮影倍率を変更可能な光学系による被写体像を撮像して画像データを生成する撮像部と、前記画像データによる画像を表示する表示部と、前記表示部の表示面が鉛直方向下向きの方向に変化すると前記撮影倍率を大きくする制御を行う制御部とを備える。
[６]上記撮像装置において、前記制御部は、前記表示部の表示面が鉛直方向上向きの方向に変化すると、前記撮影倍率を小さくすることができる。
[７] 本発明に係る撮像装置は、撮影倍率を変更可能な光学系による被写体像を撮像して画像データを生成する撮像部と、前記画像データによる画像を表示する表示部と、前記表示部の表示面が鉛直方向下向きの方向に変化すると、前記撮影倍率を小さくする制御を行う制御部とを備える。
[８]上記撮像装置において、前記制御部は、前記表示部の表示面が鉛直方向上向きの方向に変化すると、前記撮影倍率を大きくすることができる。
[９]上記撮像装置において、前記制御部は、前記表示部の表示面が鉛直方向下向きの方向または上向きの方向に変化すると、前記光学系の光軸に対する前記表示面の角度が大きくなるほど前記撮影倍率の変化量を大きくすることができる。
【発明の効果】
【０００８】
本発明によれば、ハイアングル撮影またはローアングル撮影を行う場合に、被写体を適切に撮影することができる。
【図面の簡単な説明】
【０００９】
【図１】図１は、第１実施形態に係る電子カメラを示すブロック図である。
【図２】図２（Ａ）は、表示部がカメラ本体に沿うように収納されている場合の電子カメラの外観図であり、図２（Ｂ）は、表示部がカメラ本体から引き出されている場合の電子カメラの外観図である。
【図３】図３（Ａ）は、撮影者がハイアングル撮影を行っている場面を示す図であり、図３（Ｂ）は、ハイアングル撮影時の電子カメラの外観図である。
【図４】図４（Ａ）は、撮影者がローアングル撮影を行っている場面を示す図であり、図４（Ｂ）は、ローアングル撮影時の電子カメラの外観図である。
【図５】図５は、光軸と表示モニタの法線とのピッチ角と、ズームレンズの駆動量との関係を説明するための図である。
【図６】図６は、第１実施形態に係る電子カメラの動作を示すフローチャートである。
【図７】図７は、第２実施形態に係るカメラの動作を示すフローチャートである。
【図８Ａ】図８Ａは、第２実施形態に係るカメラの動作を説明するための図（その１）である。
【図８Ｂ】図８Ｂは、第２実施形態に係るカメラの動作を説明するための図（その２）である。
【図８Ｃ】図８Ｃは、第２実施形態に係るカメラの動作を説明するための図（その３）である。
【図９】図９は、第３実施形態に係る電子カメラの動作を示すフローチャートである。
【図１０】図１０は、第４実施形態に係る電子カメラを示すブロック図である。
【図１１】図１１は、第４実施形態に係る電子カメラの動作を示すフローチャートである。
【図１２】図１２は、第５実施形態に係る電子カメラの動作を示すフローチャートである。
【図１３】図１３は、第６実施形態に係る電子カメラの動作を示すフローチャートである。
【発明を実施するための形態】
【００１０】
本発明の実施形態を図面に基づいて説明する。
【００１１】
図１は、第１実施形態に係る電子カメラ１００のブロック図である。図１に示すように、電子カメラ１００は、撮像光学系１、光量調節部２、撮像素子３、Ａ／Ｄ変換部４、ＣＰＵ５、カードメモリ６、内蔵メモリ７、操作部８、位置検出センサ９、表示部１０、フォーカスレンズ駆動部１４、ズームレンズ駆動部１５、および光量調節制御部１６から構成される。ＣＰＵ５、内蔵メモリ７、操作部８、位置検出センサ９、表示部１０は、バス１７を介して接続されており、互いに情報の授受が可能となっている。
【００１２】
撮像光学系１は、フォーカスレンズ１２およびズームレンズ１３を含む複数の光学レンズにより構成され、被写体像を撮像素子３の受光面に結像する。フォーカスレンズ１２およびズームレンズ１３は、光軸Ｌ１に沿って移動可能に設けられており、フォーカスレンズ駆動部１４によるフォーカシング動作、およびズームレンズ駆動部１５によるズーミング動作により、それぞれの位置が調整される。なお、フォーカスレンズ駆動部１４およびズームレンズ駆動部１５は、ＣＰＵ５と接続されており、ＣＰＵ５の指令によりフォーカスレンズ１２およびズームレンズ１３の位置調整を制御している。
【００１３】
光量調節部２は、絞り機構およびシャッタ機構を備え、被写体像を撮像素子３で撮像させるために、被写体からの光束（光軸Ｌ１）を、シャッタ速度で決まる時間（露光時間）の間、撮像素子３の受光面へ通す。なお、光量調節部２の絞り動作およびシャッタ動作は、ＣＰＵ５の指令に基づいて、光量調節制御部１６により制御される。
【００１４】
また、光軸Ｌ１上であって、撮影光学系の予定焦点面には、被写体からの光束を受光する撮像素子３が設けられている。撮像素子３は、ＣＣＤイメージセンサ、ＣＭＯＳセンサまたはＣＩＤなどのデバイスから構成される。撮像素子３は、撮像光学系１により撮像素子３の画素上に結像された被写体像に応じたアナログ画像データを生成して出力する。撮像素子３から出力されたアナログ画像データは、Ａ／Ｄ変換部４でデジタル画像データに変換され、ＣＰＵ５へ転送される。ここで、Ａ／Ｄ変換部４は、撮像素子３に内蔵されていてもよい。Ａ／Ｄ変換部４が撮像素子３に内蔵されている場合、撮像素子３はデジタル画像データを出力する。
【００１５】
ＣＰＵ５は、入力されたデジタル画像データに対して画像処理を施す。画像処理は、例えば階調変換処理やホワイトバランス処理である。また、ＣＰＵ５は、焦点調節状態、および絞り調節状態の検出など、電子カメラ１００全体の制御も司る。
【００１６】
また、電子カメラ１００のカードＩ／Ｆ（不図示）には、カードメモリ６が着脱可能に装着される。ＣＰＵ５により生成された画像データは、カードＩ／Ｆを介して、カードメモリ６に記憶される。
【００１７】
内蔵メモリ７には、ＣＰＵ５が電子カメラ１００を制御するための制御プログラムが記憶されている。内蔵メモリ７に記憶されている制御プログラムは、バス１７を介して、ＣＰＵ５から適時参照される。なお、内蔵メモリ７として、半導体メモリのうち、任意の不揮発性メモリを適宜選択して用いることができる。
【００１８】
操作部８は、シャッターレリーズボタンや、電子カメラ１００の各種動作モードを設定するための入力スイッチなどであり、たとえば、オートフォーカスモード／マニュアルフォーカスモードの切換が行えるようになっている。また、本実施形態において、操作部８は、ズームレンズ１３を駆動させて、撮影倍率を変更するためのズームボタンも含んでいる。操作部８により設定された各種モードはＣＰＵ５へ送出され、ＣＰＵ５により電子カメラ１００全体の動作が制御される。また、シャッターレリーズボタンは、ボタンの半押しでＯＮとなる第１スイッチＳＷ１と、ボタンの全押しでＯＮとなる第２スイッチＳＷ２とを含む。
【００１９】
表示部１０は、表示モニタ１０１を有する。表示部１０は、撮像素子３で生成された画像データにより示される画像を表示モニタ１０１に表示する。表示モニタ１０１には、例えばライブビュー画像や撮影画像が表示される。ここで、図２（Ａ），（Ｂ）は、本実施形態に係る電子カメラ１００の外観図であり、図２（Ａ）は、カメラ本体２０に沿うように表示部１０を収納した状態を示しており、図２（Ｂ）は、表示部１０をカメラ本体２０から引き出した状態を示している。本実施形態に係る表示部１０は、バリアングル液晶モニタ（チルトアングル液晶モニタ）であり、図２（Ａ），（Ｂ）に示すように、表示モニタ１０１と、回転軸１０２ａ，１０２ｂとを有している。そして、図２（Ａ）に示すように、表示部１０をカメラ本体２０に沿うように収納した状態において、回転軸１０２ａを中心として表示モニタ１０１を、光軸に対してヨー方向Ｄ１に回転させた後に、さらに、回転軸１０２ｂを中心として表示モニタ１０１を、光軸に対してピッチ方向Ｄ２に回転させることで、図２（Ｂ）に示すように、表示部１０をカメラ本体２０から引き出した状態とすることができる。
【００２０】
また、図３（Ａ）は、撮影者が電子カメラ１００を撮影者の目線よりも上に上げて撮影を行うハイアングル撮影を行う場面を示している。ハイアングル撮影を行う場合には、被写体が撮影範囲内に収まっているか否かを確認するために、図３（Ｂ）に示すように、撮影者により、表示部１０の表示モニタ１０１を下方に向ける動作が行われる。
【００２１】
また、図４（Ａ）は、撮影者が電子カメラ１００を撮影者の目線よりも下に下げて撮影を行うローアングル撮影を行う場面を示している。ローアングル撮影を行う場合にも、被写体が撮影範囲内に収まっているか否かを確認するために、図４（Ｂ）に示すように、撮影者により、表示部１０の表示モニタ１０１を上方に向ける動作が行われる。
【００２２】
ここで、ハイアングル撮影を行う場面としては、たとえば、運動会において、撮影者から遠く離れた場所から子供を撮影する場合など、撮影者が前方の障害物を避けて、比較的遠くに存在する被写体を撮影する場面が多い。このような場合、撮影者は、図３（Ａ）に示すように、電子カメラ１００を撮影者の身体から離して保持するために、撮影者の姿勢が不安定となるとともに、表示モニタ１０１を下方に向ける操作に加え、被写体像を拡大するために、操作部８のズームボタンの操作をさらに行うため、これらの操作により、電子カメラ１００の撮影方向が撮影者の意図に反した方向に向いてしまい、被写体が撮影範囲から外れてしまう場合があった。
【００２３】
また、ローアングル撮影を行う場合としては、たとえば、近くに存在する花などを撮影する場合など、撮影者が比較的近くに存在する被写体を撮影する場面が多い。このような場合も、撮影者は、図４（Ａ）に示すように、電子カメラ１００を撮影者の身体から離して保持するために、撮影者の姿勢が不安定となるとともに、表示モニタ１０１を上方に向ける操作に加え、被写体像を小さくするために、操作部８のズームボタンの操作をさらに行うため、これらの操作により、電子カメラ１００の撮影方向が撮影者の意図に反した方向に向いてしまい、被写体が撮影範囲から外れてしまう場合があった。
【００２４】
そこで、本実施形態において、ＣＰＵ５は、撮像素子３の撮像面に対する表示モニタ１０１の表示面の相対位置に基づいて、ズームレンズ１３の駆動を制御する。具体的には、ＣＰＵ５は、表示モニタ１０１を、回転軸１０２ｂを中心としてピッチ方向Ｄ２に回転させることで、表示部１０の表示モニタ１０１が下方に向けられた場合には、ハイアングル撮影が行われていると判断し、撮影倍率が大きくなるように、ズームレンズ１３をテレ側に駆動させる。より具体的には、ＣＰＵ５は、表示部１０の表示モニタ１０１が鉛直方向下方に向けられた場合には、カメラ本体２０の光軸と表示モニタ１０１の法線とがなすピッチ方向Ｄ２における角度θ（以下、光軸と表示モニタ１０１の法線とのピッチ角θともいう。）が大きいほど、撮影倍率が大きくなるように、ズームレンズ１３をテレ側に駆動させる。
【００２５】
たとえば、ＣＰＵ５は、図５（Ａ）に示すように、カメラ本体２０の光軸Ｌ１と表示モニタ１０１の法線Ｌ２とのピッチ角θが４５°である場合よりも、図５（Ｂ）に示すように、カメラ本体２０の光軸Ｌ１と表示モニタ１０１の法線Ｌ２とのピッチ角θが９０°である場合の方が、撮影倍率が大きくなるように、ズームレンズ１３をテレ側に駆動させる。これにより、ハイアングル撮影において、被写体像を拡大するためのズームボタンの操作を省略することができるため、撮影者の姿勢が不安定となり易いハイアングル撮影において、撮影者がさらにズームボタン操作を行うことで、電子カメラ１００の撮影方向が撮影者の意図に反した方向となり、被写体が撮影範囲から外れてしまうことを有効に防止することができる。
【００２６】
一方、ＣＰＵ５は、表示モニタ１０１を、回転軸１０２ｂを中心としてピッチ方向Ｄ２に回転させることで、表示部１０の表示モニタ１０１が上方に向けられた場合には、ローアングル撮影が行われていると判断し、撮影倍率が小さくなるように、ズームレンズ１３をワイド側に駆動させる。より具体的には、ＣＰＵ５は、表示部１０の表示モニタ１０１が鉛直方向上方に向けられた場合には、カメラ本体２０の光軸と表示モニタ１０１の法線とのピッチ角θが大きいほど、撮影倍率が小さくなるように、ズームレンズ１３をワイド側に駆動させる。これにより、ローアングル撮影において、被写体像を小さくするためのズームボタンの操作を省略することができるため、撮影者の姿勢が不安定となり易いローアングル撮影において、撮影者がさらにズームボタン操作を行うことで、電子カメラ１００の撮影方向が撮影者の意図に反した方向となり、被写体が撮影範囲から外れてしまうことを有効に防止することができる。
【００２７】
なお、撮像素子３に対する表示モニタ１０１の相対位置は、位置検出センサ９により検出される。たとえば、本実施形態では、位置検出センサ９を表示部１０の回転軸１０２ａ，１０２ｂの近傍に設け、位置検出センサ９により、回転軸１０２ａ，１０２ｂを中心とした表示部１０の回転角度を検出することで、光軸と表示モニタ１０１の法線とのピッチ角θ、および、カメラ本体２０の光軸と表示モニタ１０１の法線とがなすヨー方向Ｄ１におけるヨー角を、撮像素子３に対する表示モニタ１０１の相対位置として検出する。
【００２８】
また、位置検出センサ９を、ＧＰＳユニットやジャイロセンサから構成し、電子カメラ１００（または撮像素子３）の高さ位置を検出する構成としてもよい。この場合、表示モニタ１０１が下方に向けられたことに加えて、電子カメラ１００が撮影者の目線よりも高い位置となった場合に、ハイアングル撮影と判断して、撮影倍率が大きくなるように、ズームレンズ１３をテレ側に駆動することができる。同様に、表示モニタ１０１が上方に向けられたことに加えて、電子カメラ１００が撮影者の目線よりも低い位置となった場合に、ローアングル撮影と判断して、撮影倍率が小さくなるように、ズームレンズ１３をワイド側に駆動することができる。
【００２９】
さらに、ＣＰＵ５は、表示モニタ１０１が鉛直方向下方に向けられた場合には、ズームレンズ１３をテレ側に直ぐに駆動させるのではなく、表示モニタ１０１を鉛直方向下方に向けた後に、一定時間が経過した場合に、ズームレンズ１３をテレ側に駆動させる構成としてもよい。これにより、表示モニタ１０１を鉛直方向下方に向けた直後は撮影範囲が広いため、表示モニタ１０１を下方に向けた直後の不安定な状態でも、被写体を撮影範囲内に適切に収めることが可能となる。
【００３０】
また、ズームレンズ１３の駆動制御は、撮像素子３に対する表示モニタ１０１の相対位置の変化に応じて連続的に行う構成としてもよいし、あるいは、撮像素子３に対する表示モニタ１０１の相対位置の変化に応じて断続的に行う構成としてもよい。たとえば、カメラ本体２０の光軸Ｌ１と表示モニタ１０１の法線Ｌ２とのピッチ角が０．１度変化するごとに、ズームレンズ１３を駆動させることで、ズームレンズ１３を連続的に駆動させる構成としてもよいし、あるいは、カメラ本体２０の光軸Ｌ１と表示モニタ１０１の法線Ｌ２とのピッチ角が５度変化するごとに、ズームレンズ１３を駆動させることで、ズームレンズ１３を断続的に駆動させる構成としてもよい。
【００３１】
次いで、図６に基づいて、第１実施形態に係る電子カメラ１００の動作例を説明する。図６は、第１実施形態に係る電子カメラ１００の動作を示すフローチャートである。
【００３２】
まず、ステップＳ１０１では、ＣＰＵ５により、撮像素子３の撮像面に対する表示モニタ１０１の表示面の相対位置の取得が行われる。本実施形態において、ＣＰＵ５は、図５（Ａ），（Ｂ）に示すように、位置検出センサ９により検出された、カメラ本体２０の光軸Ｌ１と表示モニタ１０１の法線Ｌ２とのピッチ角θを、撮像素子３の撮像面に対する表示モニタ１０１の表示面の相対位置として、位置検出センサ９から取得する。
【００３３】
ステップＳ１０２では、ＣＰＵ５により、ステップＳ１０１で取得した撮像素子３の撮像面に対する表示モニタ１０１の表示面の相対位置に基づいて、表示モニタ１０１が鉛直方向下方に向けられているか否かの判断が行われる。そして、表示モニタ１０１が鉛直方向下方に向けられていると判断した場合には、ステップＳ１０３に進み、ＣＰＵ５により、撮影倍率が大きくなるように、ズームレンズ１３をテレ側に駆動させる処理が行われる。また、この場合に、ＣＰＵ５は、光軸と表示モニタ１０１の法線とのピッチ角θが大きいほど、撮影倍率が大きくなるように、ズームレンズ１３をテレ側に駆動させる。
【００３４】
一方、ステップＳ１０２において、表示モニタ１０１が鉛直方向下方に向けられていないと判断した場合には、ステップＳ１０４に進む。ステップＳ１０４では、ＣＰＵ５により、ステップＳ１０１で取得した撮像素子３の撮像面に対する表示モニタ１０１の表示面の相対位置に基づいて、表示モニタ１０１が鉛直方向上方に向けられているか否かの判断が行われる。そして、表示モニタ１０１が鉛直方向上方に向けられていると判断した場合には、ステップＳ１０５に進み、ＣＰＵ５により、撮影倍率が小さくなるように、ズームレンズ１３をワイド側に駆動する処理が行われる。また、この場合に、ＣＰＵ５は、光軸と表示モニタ１０１の法線とのピッチ角θが大きいほど、撮影倍率が小さくなるように、ズームレンズ１３をワイド側に駆動させる。
【００３５】
そして、ステップＳ１０３またはステップＳ１０５において、フォーカスレンズ３２の駆動が行われた後は、ステップＳ１０１に戻る。これにより、撮像素子３の撮像面に対する表示モニタ１０１の表示面の相対位置が変化する度に（表示モニタ１０１が上方または下方に回転される度に）、相対位置に基づいて、ズームレンズ１３が繰り返し駆動されることとなる。
【００３６】
以上のように、第１実施形態に係る電子カメラ１００の動作が行われる。
【００３７】
このように、第１実施形態では、表示モニタ１０１が下方に向けられた場合には、ハイアングル撮影と判断し、カメラ本体２０の光軸と表示モニタ１０１の法線とのピッチ角が大きいほど、撮影倍率が大きくなるように、ズームレンズ１３をテレ側に駆動する。また、表示部１０の表示モニタ１０１が上方に向けられた場合には、ローアングル撮影と判断し、カメラ本体２０の光軸と表示モニタ１０１の法線とのピッチ角が大きいほど、撮影倍率が小さくなるように、ズームレンズ１３をワイド側に駆動させる。これにより、撮影者の姿勢が不安定となり易いハイアングル撮影またはローアングル撮影において、ズームボタンの操作を省略して、ズーミング動作を行うことができるため、撮影者の姿勢が不安定となり、被写体が撮影範囲から外れてしまうことを有効に防止することができる。
【００３８】
《第２実施形態》
次に、本発明の第２実施形態について説明する。第２実施形態に係る電子カメラ１００は、第１実施形態に係る電子カメラ１００と同様の構成を備え、以下に説明するように動作すること以外は、第１実施形態に係る電子カメラ１００と同様に動作する。
【００３９】
第２実施形態において、ＣＰＵ５は、表示部１０の表示モニタ１０１が上方または下方に向けられた場合に、撮影倍率が小さくなるように、ズームレンズ１３をワイド側に駆動させる。すなわち、上述した第１実施形態では、表示部１０の表示モニタ１０１が下方に向けられた場合には、撮影倍率が大きくなるように、ズームレンズ１３をテレ側に駆動させ、一方、表示部１０の表示モニタ１０１が上方に向けられた場合には、撮影倍率が小さくなるように、ズームレンズ１３をワイド側に駆動させたが、第２実施形態では、表示部１０の表示モニタ１０１が上方に向けられた場合も、下方に向けられた場合も、撮影倍率が小さくなるように、ズームレンズ１３をワイド側に駆動させる。
【００４０】
また、第２実施形態において、ＣＰＵ５は、撮像素子３に対する表示モニタ１０１の相対位置に応じて、ズームレンズ１３をワイド側に駆動させた後に、一定時間が経過した場合には、ワイド側に駆動させたズームレンズ１３のレンズ位置を徐々に、駆動前の元のレンズ位置まで戻す。たとえば、ＣＰＵ５は、撮像光学系１の焦点距離が長いほど撮影倍率が大きくなる場合に、図５（Ａ）に示すように、表示部１０の表示モニタ１０１が下方に向けられた場合には、焦点距離が８００ｍｍから６００ｍｍとなるように、ズームレンズ１３をワイド側に駆動させ、その後、一定時間が経過した場合に、焦点距離が６００ｍｍから８００ｍｍと戻るように、ズームレンズ１３を駆動前のレンズ位置まで徐々に駆動する。同様に、ＣＰＵ５は、表示部１０の表示モニタ１０１が上方に向けられた場合も、一定時間が経過した後に、ワイド側に駆動させたズームレンズ１３のレンズ位置を、駆動前の元の位置まで徐々に戻す。
【００４１】
これにより、第２実施形態では、撮影者がハイアングル撮影またはローアングル撮影を行う場合に、まず、撮影倍率が小さくなるように、ズームレンズ１３がワイド側に駆動するため、被写体を撮影範囲内に収め易くすることができる。そして、ズームレンズ１３がワイド側に駆動された後に、一定時間が経過した場合には、ズームレンズ１３を駆動前のレンズ位置まで徐々に戻すことで、撮影者は、ズームボタンを操作することなく、表示モニタ１０１で被写体を確認しながら、被写体を所望する大きさで撮影範囲内に収めることができる。
【００４２】
さらに、第２実施形態において、ＣＰＵ５は、カメラ本体２０の光軸と表示モニタ１０１の法線とのピッチ角θが大きいほど、撮影倍率が小さくなるように、ズームレンズ１３をワイド側に駆動する。たとえば、ＣＰＵ５は、撮像光学系１の焦点距離が長いほど撮影倍率が大きくなる場合に、焦点距離が８００ｍｍである場合には、図５（Ａ）に示すように、カメラ本体２０の光軸Ｌ１と表示モニタ１０１の法線Ｌ２とのピッチ角θが４５度となった場合には、焦点距離が８００ｍｍから６００ｍｍとなるように、ズームレンズ１３をワイド側に駆動させる。これに対して、ＣＰＵ５は、焦点距離が同じく８００ｍｍである場合において、図５（Ｂ）に示すように、カメラ本体２０の光軸Ｌ１と表示モニタ１０１の法線Ｌ２とのなすピッチ角θが９０度となった場合には、焦点距離が８００ｍｍから４００ｍｍとなるように、ズームレンズ１３をワイド側に駆動させる。同様に、ＣＰＵ５は、表示部１０の表示モニタ１０１が上方に向けられた場合も、撮像光学系１の光軸と表示モニタ１０１の法線とのピッチ角θが大きいほど、撮影倍率が小さくなるように、ズームレンズ１３をワイド側に駆動する。
【００４３】
加えて、第２実施形態において、ＣＰＵ５は、撮像素子３に対する表示モニタ１０１の相対位置を変化させる前の撮影倍率を加味して、ズームレンズ１３を駆動する。具体的には、ＣＰＵ５は、表示モニタ１０１を回転させる前の撮影倍率が大きいほど、表示モニタ１０１の回転前後における撮影倍率の変化量が大きくなくように、ズームレンズ１３を駆動する。たとえば、ＣＰＵ５は、撮像光学系１の焦点距離が長いほど撮影倍率が大きくなる場合には、表示モニタ１０１を回転させる前の焦点距離が長いほど、表示モニタ１０１の回転前後における焦点距離の変化量が大きくなくように、ズームレンズ１３の駆動を制御する。
【００４４】
たとえば、ＣＰＵ５は、表示モニタ１０１を回転させる前の焦点距離が８００ｍｍである場合において、図５（Ａ）に示すように、カメラ本体２０の光軸Ｌ１と表示モニタ１０１の法線Ｌ２とのピッチ角θが４５度となった場合には、焦点距離が８００ｍｍから６００ｍｍとなるように、ズームレンズ１３をワイド側に駆動させる。これに対して、ＣＰＵ５は、表示モニタ１０１を回転させる前の焦点距離が５００ｍｍである場合において、同じく図５（Ａ）に示すように、カメラ本体２０の光軸Ｌ１と表示モニタ１０１の法線Ｌ２とのピッチ角θが４５度となった場合には、焦点距離を５００ｍｍから４００ｍｍとなるように、ズームレンズ１３をワイド側に駆動させる。すなわち、ＣＰＵ５は、表示モニタ１０１を回転させる前の焦点距離が８００ｍｍである場合には、焦点距離が３００ｍｍ変化するように、ズームレンズ１３を駆動し、一方、表示モニタ１０１を回転させる前の焦点距離が５００ｍｍである場合には、焦点距離が１００ｍｍ変化するように、ズームレンズ１３を駆動する。同様に、ＣＰＵ５は、表示部１０の表示モニタ１０１が上方に向けられた場合も、表示モニタ１０１を回転させる前の撮影倍率が大きいほど、表示モニタ１０１の回転前後における撮影倍率の変化量が大きくなくように、ズームレンズ１３を駆動する。
【００４５】
さらに、ＣＰＵ５は、表示モニタ１０１が上方に向けられた場合よりも、表示モニタ１０１が下方に向けられた場合に、表示モニタ１０１の回転前後における撮影倍率の変化量がより大きくなるように、ズームレンズ１３をワイド側に駆動する。たとえば、ＣＰＵ５は、撮像光学系１の焦点距離が大きいほど撮影倍率が大きくなる場合に、焦点距離が８００ｍｍである場合には、図５（Ａ）に示すように、表示モニタ１０１が下方に向けられて、カメラ本体２０の光軸Ｌ１と表示モニタ１０１の法線Ｌ２とのピッチ角θが４５度となった場合には、焦点距離が８００ｍｍから６００ｍｍとなるように、ズームレンズ１３をワイド側に駆動させる。これに対して、ＣＰＵ５は、焦点距離が８００ｍｍである場合において、表示モニタ１０１が上方に向けられて、カメラ本体２０の光軸Ｌ１と表示モニタ１０１の法線Ｌ２とのピッチ角θが４５度となった場合には、焦点距離が８００ｍｍから７００ｍｍとなるように、ズームレンズ１３をワイド側に駆動させる。
【００４６】
次いで、図７に基づいて、第２実施形態に係る電子カメラ１００の動作例を説明する。図７は、第２実施形態に係る電子カメラ１００の動作を示すフローチャートである。
【００４７】
まず、ステップＳ２０１では、ＣＰＵ５により、撮影倍率の検出が行われる。たとえば、ＣＰＵ５は、撮像光学系１の焦点距離の値を被写体距離の値で除算することで、撮影倍率を算出することができる。なお、ステップＳ２０１で検出された撮影倍率は、表示モニタ１０１の回転操作前の撮影倍率として検出されることとなる。
【００４８】
次いで、ステップＳ２０２では、ＣＰＵ５により、表示モニタ１０１の回転操作が行われたか否かの判断が行われる。撮影者により表示モニタ１０１の回転操作が行われた場合には、ステップＳ２０３に進み、一方、撮影者により表示モニタ１０１の回転操作が行われていない場合には、ステップＳ２０１に戻り、撮影倍率の検出が繰り返し行われる。
【００４９】
ステップＳ２０３では、ＣＰＵ５により、撮像素子３に対する表示モニタ１０１の相対位置の検出が行われる。具体的には、ＣＰＵ５は、図５（Ａ），（Ｂ）に示すように、カメラ本体２０の光軸Ｌ１と表示モニタ１０１の法線Ｌ２とのピッチ角θを、撮像素子３に対する表示モニタ１０１の相対位置として検出する。また、ステップＳ２０４では、ＣＰＵ５により、表示モニタ１０１の回転方向の検出が行われる。
【００５０】
そして、ステップＳ２０５では、ＣＰＵ５により、ステップＳ２０１，Ｓ２０３，Ｓ２０４の検出結果に基づいて、ズームレンズ１３の駆動量の算出が行われる。具体的には、ＣＰＵ５は、ステップＳ２０１で検出した表示モニタ１０１の回転操作前の撮影倍率と、ステップＳ２０３で検出したカメラ本体２０の光軸と表示モニタ１０１の法線との現在のピッチ角と、ステップＳ２０４で検出した表示モニタ１０１の回転方向とに基づいて、目標とする撮影倍率を決定し、目標とする撮影倍率が得られるように、ズームレンズ１３の駆動量を算出する。
【００５１】
たとえば、ＣＰＵ５は、図５（Ａ），（Ｂ）に示すように、カメラ本体２０の光軸Ｌ１と表示モニタ１０１の法線Ｌ２とのピッチ角θが大きいほど、撮影倍率が小さくなるように、ズームレンズ１３の駆動量を算出する。また、ＣＰＵ５は、表示モニタ１０１の回転操作前の撮影倍率が大きいほど、表示モニタ１０１の回転前後の撮影倍率の変化量が大きくなるように、ズームレンズ１３の駆動量を算出する。さらに、ＣＰＵ５は、表示モニタ１０１を上方に向ける場合よりも、表示モニタ１０１を下方に向ける場合に、撮影倍率の変化量がより大きくなるように、ズームレンズ１３の駆動量を算出する。
【００５２】
そして、ステップＳ２０６では、ＣＰＵ５により、ステップＳ２０５で算出されたズームレンズ１３の駆動量に基づいて、ズームレンズ１３の駆動が行われる。なお、第２実施形態では、表示モニタ１０１を鉛直方向上方に向けた場合も、鉛直方向下方に向けた場合も、撮影倍率が小さくなるようにズームレンズ１３の駆動量が算出されるため、このステップＳ２０６においては、ズームレンズ１３がワイド側に駆動されることとなる。
【００５３】
ステップＳ２０７では、ＣＰＵ５により、ズームレンズ１３の駆動を行った後に、一定時間が経過したか否かの判断が行われる。一定時間が経過したと判断された場合には、ステップＳ２０８に進み、一方、一定時間が経過していないと判断された場合には、一定時間が経過するまで、ステップＳ２０７で待機する。
【００５４】
ステップＳ２０８では、ズームレンズ１３の駆動を行ってから一定時間が経過したと判断されているため、ＣＰＵ５により、ズームレンズ１３のレンズ位置を、表示モニタ１０１の回転操作前の元のレンズ位置まで戻す処理が行われる。具体的には、ＣＰＵ５は、表示モニタ１０１の回転操作前の撮影倍率となるように、ズームレンズ１３を表示モニタ１０１の回転操作前の元のレンズ位置までテレ側に駆動させる。
【００５５】
このように、第２実施形態に係る電子カメラ１００の動作が行われる。
【００５６】
次に、図８Ａ〜図８Ｃを参照して、第２実施形態に係る電子カメラ１００の動作を説明する。図８Ａ〜図８Ｃは、第２実施形態に係る電子カメラ１００の動作を説明するための図である。なお、図８Ａ〜図８Ｃにおける（Ａ）〜（Ｅ）では、図の左側に、ズームレンズの駆動状況を示しており、電子カメラ１００のレンズ鏡筒が被写体側に伸びるほど、撮影倍率が大きくなるように、ズーミング動作が行われていることを示している。また、図の右側には、表示モニタ１０１に表示される画像例を示している。
【００５７】
また、図８Ａ〜図８Ｃに示す場面は、図８Ａ（Ａ）に示すように、撮影者が被写体を撮影している場面であり、図８Ａ（Ｂ）に示すように、撮影者が、被写体を拡大して撮影するために、ズームボタンを操作して、ズームレンズ１３をテレ側に駆動している。そして、撮影者が、被写体が拡大するようにズームボタンを操作した結果、障害物が被写体の前方に写ってしまったため、図８Ｂ（Ｃ）に示すように、電子カメラ１００を撮影者の目線よりも上に持ち上げている。
【００５８】
このように、被写体を拡大した状態で（撮影倍率が大きい状態で）、電子カメラ１００を撮影者の目線よりも上に上げた場合には、電子カメラ１００が撮影者の身体から離れて保持されるため、手振れなどにより、電子カメラ１００の撮影方向が撮影者の意図しない方向となり、被写体が撮影範囲から外れてしまう場合がある。たとえば、図８Ｂ（Ｃ）に示す例では、被写体を拡大した状態で（撮影倍率が大きい状態で）、電子カメラ１００を撮影者の目線よりも上に上げたために、被写体が撮影範囲から外れてしまっている。
【００５９】
これに対して、本実施形態では、図８Ｂ（Ｄ）に示すように、撮影者が、被写体を表示モニタ１０１で確認するために、表示モニタ１０１を下方に傾けることで、表示モニタ１０１の回転操作が検出され（ステップＳ２０２＝Ｙｅｓ）、カメラ本体２０の光軸と表示モニタ１０１の法線とのピッチ角の検出（ステップＳ２０３）と、表示モニタ１０１の回転方向の検出（ステップＳ２０４）とが行われる。そして、表示モニタ１０１の回転操作前の撮影倍率と、カメラ本体２０の光軸と表示モニタ１０１の法線とのピッチ角と、表示モニタ１０１の回転方向とに基づいて、撮影倍率が小さくなるように、ズームレンズ１３の駆動量の算出が行われる（ステップＳ２０５）。
【００６０】
そして、算出したズームレンズ１３の駆動量に基づいて、ズームレンズ１３の駆動指示が行われることで（ステップＳ２０６）、図８Ｂ（Ｄ）に示すように、ズームレンズ１３がワイド側に駆動され、これにより、被写体が撮影範囲内に収まり、撮影者が表示モニタ１０１で被写体を確認することが可能となる。
【００６１】
さらに、本実施形態では、ズームレンズ１３を駆動した後に、一定時間が経過したか否かの判断を行う（ステップＳ２０７）。ズームレンズ１３を駆動してから一定時間が経過した場合には（ステップＳ２０７＝Ｙｅｓ）、ＣＰＵ５は、図８Ｃ（Ｅ）に示すように、ズームレンズ１３を、表示モニタ１０１の回転操作前のレンズ位置まで駆動させる（ステップＳ２０８）。これにより、撮影者は、ズームボタンを操作することなく、表示モニタ１０１で被写体を確認しながら、被写体を所望の倍率で撮影することができるため、ハイアングル撮影またはローアングル撮影において、被写体を適切に撮影することができる。
【００６２】
以上のように、第２実施形態では、表示部１０の表示モニタ１０１が上方または下方に回転された場合に、カメラ本体２０の光軸と表示モニタ１０１の法線とのピッチ角が大きいほど、撮影倍率が小さくなるように、ズームレンズ１３をワイド側に駆動させる。これにより、撮影者の姿勢が不安定となり易いハイアングル撮影またはローアングル撮影においても、被写体を撮影範囲内に収めることができ、被写体を適切に撮影することができる。特に、撮影者がズーム倍率を高く設定している場合には、その分だけ、被写体が撮影範囲から外れ易くなるが、第２実施形態では、カメラ本体２０の光軸と表示モニタ１０１の法線とのピッチ角が大きいほど、撮影倍率が小さくなるように、ズームレンズ１３をワイド側に駆動することで、撮影倍率が大きい状態で開始したハイアングル撮影またはローアングル撮影においても、被写体を撮影範囲内に収めることができ、被写体を適切に撮影することができる。
【００６３】
また、第２実施形態では、表示モニタ１０１の回転操作が行われ、ズームレンズ１３をワイド側に駆動させた後に、一定時間が経過した場合に、ズームレンズ１３を、表示モニタ１０１の回転操作前のレンズ位置まで駆動させる。これにより、ハイアングル撮影またはローアングル撮影において、撮影倍率を小さくして、被写体を撮影範囲内に収めた後に、撮影者は、ズームボタンを操作することなく、被写体が撮影範囲から外れないように、表示モニタ１０１で被写体を確認しながら、被写体像を所望する倍率で撮影することができる。
【００６４】
さらに、第２実施形態では、表示モニタ１０１を回転させる前の撮影倍率が大きいほど、表示モニタ１０１の回転前後における撮影倍率の変化量が大きくなくように、ズームレンズ１３を駆動する。これにより、表示モニタ１０１の回転操作前の撮影倍率に応じて、表示モニタ１０１の回転後の撮影倍率を適切な大きさとすることができる。すなわち、ハイアングル撮影またはローアングル撮影において、ズームレンズ１３をワイド側に駆動する場合に、撮影倍率の大きさを、被写体を撮影範囲内で撮影できる適切な大きさとすることができる。
【００６５】
また、ＣＰＵ５は、表示モニタ１０１が上方に向けられた場合よりも、表示モニタ１０１が下方に向けられた場合に、撮影倍率がより小さくなるように、ズームレンズ１３をワイド側に駆動する。ここで、電子カメラ１００を撮影者の目線よりも下で保持する場合よりも、電子カメラ１００を撮影者の目線よりも上で保持する場合の方が、撮影者の姿勢が不安定となる傾向にあり、その分、手振れなどにより、被写体が撮影範囲から外れ易い傾向にある。そのため、表示モニタ１０１が下方に向けられたことで、ハインアングル撮影を行っていると判断できる場合には、表示モニタ１０１が上方に向けられたことで、ローアングル撮影を行っていると判断できる場合よりも、撮影倍率がより小さくなるように、ズームレンズ１３をワイド側に駆動することで、撮影者の姿勢がより不安定となり易いハイアングル撮影時には、被写体を撮影範囲に適切に収めることができ、また、ローアングル撮影時は、ズームレンズ１３を不必要にワイド側に駆動させてしまうことを有効に防止することができる。
【００６６】
《第３実施形態》
次に、本発明の第３実施形態について説明する。第３実施形態に係る電子カメラ１００は、第１実施形態に係る電子カメラ１００と同様の構成を備え、以下に説明するように動作すること以外は、第１実施形態に係る電子カメラ１００と同様に動作する。
【００６７】
具体的には、第３実施形態おいて、ＣＰＵ５は、図３（Ａ），（Ｂ）に示すように、表示モニタ１０１が下方に向けられて、ハイアングル撮影が行われていると判断できる場合には、撮影倍率が小さくなるように、ズームレンズ１３をワイド側に駆動させる。また、ＣＰＵ５は、カメラ本体２０の光軸と表示モニタ１０１の法線とのピッチ角θが大きいほど、撮影倍率が小さくなるように、ズームレンズ１３をワイド側に駆動することができる。
【００６８】
また、第３実施形態おいて、ＣＰＵ５は、図４（Ａ），（Ｂ）に示すように、表示モニタ１０１が上方に向けられて、ローアングル撮影が行われていると判断できる場合には、撮影倍率が大きくなるように、ズームレンズ１３をテレ側に駆動させる。また、ＣＰＵ５は、カメラ本体２０の光軸と表示モニタ１０１の法線とのピッチ角θが大きいほど、撮影倍率が大きくなるように、ズームレンズ１３をテレ側に駆動することができる。
【００６９】
次いで、図９に基づいて、第３実施形態に係る電子カメラ１００の動作例を説明する。図９は、第３実施形態に係る電子カメラ１００の動作を示すフローチャートである。
【００７０】
ステップＳ３０１では、第１実施形態のステップＳ１０１と同様に、撮像素子３の撮像面に対する表示モニタ１０１の表示面の相対位置の取得が行われる。そして、ステップＳ３０２では、第１実施形態のステップＳ１０２と同様に、表示モニタ１０１が鉛直方向下方に向けられているか否かの判断が行われ、表示モニタ１０１が鉛直方向下方に向けられていると判断された場合には、ステップＳ３０３に進み、一方、表示モニタ１０１が鉛直方向下方に向けられていないと判断された場合には、ステップＳ３０４に進む。
【００７１】
ステップＳ３０３では、表示モニタ１０１が鉛直方向下方に向けられていると判断されているため、第３実施形態では、ＣＰＵ５により、撮影倍率が小さくなるように、ズームレンズ１３をワイド側に駆動させる処理が行われる。また、この場合に、ＣＰＵ５は、ＣＰＵ５は、光軸と表示モニタ１０１の法線とのピッチ角θが大きいほど、撮影倍率が小さくなるように、ズームレンズ１３をワイド側に駆動させる。
【００７２】
一方、ステップＳ３０２において、表示モニタ１０１が鉛直方向下方に向けられていないと判断した場合には、ステップＳ３０４に進む。ステップＳ３０４では、第１実施形態のステップＳ１０４と同様に、表示モニタ１０１が鉛直方向上方に向けられているか否かの判断が行われる。そして、表示モニタ１０１が鉛直方向上方に向けられていると判断した場合には、ステップＳ３０５に進み、ＣＰＵ５により、撮影倍率が大きくなるように、ズームレンズ１３をテレ側に駆動する処理が行われる。また、この場合に、ＣＰＵ５は、光軸と表示モニタ１０１の法線とのピッチ角θが大きいほど、撮影倍率が大きくなるように、ズームレンズ１３をテレ側に駆動させる。
【００７３】
以上のように、第３実施形態に係る電子カメラ１００の動作は行われる。
【００７４】
このように、第３実施形態では、表示モニタ１０１が下方に向けられ、ハイアングル撮影と判断される場合には、カメラ本体２０の光軸と表示モニタ１０１の法線とのピッチ角が大きいほど、撮影倍率が小さくなるように、ズームレンズ１３をワイド側に駆動させる。また、表示モニタ１０１が上方に向けられ、ローアングル撮影と判断される場合には、カメラ本体２０の光軸と表示モニタ１０１の法線とのピッチ角が大きいほど、撮影倍率が大きくなるように、ズームレンズ１３をテレ側に駆動させる。これにより、第３実施形態では、第１実施形態と同様に、撮影者に不安定な姿勢でズーミング操作を行わせることを省略できるため、被写体が撮影範囲から外れてしまうことを有効に防止することができる。
【００７５】
《第４実施形態》
次に、本発明の第４実施形態について説明する。第４実施形態に係る電子カメラ１００ａは、以下に説明する構成を備えること以外は、第１実施形態に係る電子カメラ１００と同様の構成を備え、以下に説明するように動作すること以外は、第１実施形態に係る電子カメラ１００と同様に動作する。
【００７６】
図１０は、第４実施形態に係る電子カメラ１００ａのブロック図である。図１０に示すように、第４実施形態に係る電子カメラ１００ａは、表示装置３０がカメラ本体２０ａから取り外し可能となっている。
【００７７】
また、カメラ本体２０ａはカメラ側通信部１８を備え、表示装置３０はモニタ側通信部３１を備えている。そして、カメラ本体２０ａと表示装置３０とは、カメラ側通信部１８およびモニタ側通信部３１を介して、無線通信により互に情報の授受が可能となっている。これにより、カメラ本体２０ａは、カメラ本体２０ａが撮像したライブビュー画像を、カメラ側通信部１８を介して表示装置３０に送信することで、表示装置３０に、カメラ本体２０ａから送信されたライブビュー画像を表示モニタ３２に表示させることできる。また、表示装置３０の表示モニタ３２はタッチパネルを備えており、表示装置３０は、表示モニタ３２のタッチパネルで入力された撮影者の指示を、モニタ側通信部３１を介してカメラ本体２０ａに送信することで、カメラ本体２０ａに、撮影者の指示に基づいて、カメラ本体２０ａの動作を制御させることができる。
【００７８】
また、第４実施形態に係る位置検出センサ９ａは、ＧＰＳユニットやジャイロセンサから構成されており、表示モニタ３２の表示面に対する撮像素子３の撮像面の相対位置を検出する。たとえば、位置検出センサ９ａは、表示装置３０の位置が撮影者の見やすい一定の位置に固定されるものと想定し、表示装置３０がカメラ本体２０ａから取り外された後のカメラ本体２０ａの動きを検出することで、表示モニタ３２に対する撮像素子３の相対位置を検出することができる。
【００７９】
さらに、表示装置３０にも位置検出センサ９ａを備え、位置検出センサ９ａにより、表示装置３０およびカメラ本体２０ａの動きをそれぞれ検出することで、表示モニタ３２に対する撮像素子３の相対位置を検出する構成としてもよい。さらに、表示装置３０にも位置検出センサ９ａを備え、位置検出センサ９ａにより、カメラ本体２０ａおよび表示装置３０の緯度経度および高さ（鉛直方向における位置）における絶対位置を検出することで、表示モニタ３２に対する撮像素子３の相対位置を検出する構成としてもよい。
【００８０】
第４実施形態に係るＣＰＵ５は、表示モニタ３２の表示面に対する撮像素子３の撮像面の相対位置に基づいて、カメラ本体２０ａが備えるズームレンズ１３の駆動を制御する。具体的には、ＣＰＵ５は、表示モニタ３２よりも撮像素子３が上方にある場合には、ハイアングル撮影を行っていると判断して、撮影倍率が大きくなるように、ズームレンズ１３をテレ側に駆動させる。一方、ＣＰＵ５は、表示モニタ３２よりも撮像素子３が下方にある場合には、ローアングル撮影を行っていると判断して、撮影倍率が小さくなるように、ズームレンズ１３をワイド側に駆動させる。
【００８１】
また、ＣＰＵ５は、表示モニタ３２から撮像素子３までの距離に応じて、ズームレンズ１３の駆動量を変化させる。すなわち、ＣＰＵ５は、表示モニタ３２よりも撮像素子３が上方にある場合には、表示モニタ３２から撮像素子３までの距離が大きいほど、撮影倍率が大きくなるように、ズームレンズ１３をテレ側に駆動させる。一方、ＣＰＵ５は、表示モニタ３２よりも撮像素子３が下方にある場合には、表示モニタ３２から撮像素子３までの距離が大きいほど、撮影倍率が小さくなるように、ズームレンズ１３をワイド側に駆動させる。
【００８２】
なお、ＣＰＵ５は、表示モニタ３２に対する撮像素子３の相対位置に加えて、カメラ本体２０ａ（撮像素子３）の姿勢（傾き）に基づいて、撮影者がハイアングル撮影を行っているか、またはローアングル撮影を行っているかを判断し、ズームレンズ１３を駆動する構成としもよい。たとえば、表示モニタ３２よりも撮像素子３が上方にあり、かつ、カメラ本体２０ａ（撮像素子３）が下方に向いていると判断できた場合に、ハイアングル撮影を行っていると判断して、撮影倍率が大きくなるように、ズームレンズ１３をテレ側に駆動させる構成としてよい。
【００８３】
次いで、図１１に基づいて、第４実施形態に係る電子カメラ１００ａの動作例を説明する。図１１は、第４実施形態に係る電子カメラ１００ａの動作を示すフローチャートである。
【００８４】
まず、ステップＳ４０１では、ＣＰＵ５により、表示モニタ３２の表示面に対する撮像素子３の撮像面の相対位置の取得が行われる。そして、ステップＳ４０２では、ＣＰＵ５により、ステップＳ４０１で取得された表示モニタ３２の表示面に対する撮像素子３の撮像面の相対位置に基づいて、表示モニタ３２よりも撮像素子３が上方にあるか否かの判断が行われる。表示モニタ３２よりも撮像素子３が上方にある場合には、ステップＳ４０３に進み、ＣＰＵ５により、表示モニタ３２から撮像素子３までの距離が大きいほど、撮影倍率が大きくなるように、ズームレンズ１３をテレ側に駆動する処理が行われる。なお、ＣＰＵ５は、表示モニタ３２から撮像素子３までの距離が所定距離以上である場合に、表示モニタ３２よりも撮像素子３が上方にあると判断することができる。
【００８５】
また、ステップＳ４０２において、表示モニタ３２よりも撮像素子３が上方にないと判断された場合には、ステップＳ４０４に進む。ステップＳ４０４では、ＣＰＵ５により、ステップＳ４０１で取得された表示モニタ３２の表示面に対する撮像素子３の撮像面の相対位置に基づいて、表示モニタ３２よりも撮像素子３が下方にあるか否かの判断が行われる。表示モニタ３２よりも撮像素子３が下方にある場合には、ステップＳ４０４に進み、ＣＰＵ５により、表示モニタ３２から撮像素子３までの距離が大きいほど、撮影倍率が小さくなるように、ズームレンズ１３をワイド側に駆動する処理が行われる。なお、ステップＳ４０２と同様に、ＣＰＵ５は、表示モニタ３２から撮像素子３までの距離が所定距離以上である場合に、表示モニタ３２よりも撮像素子３が下方にあると判断することができる。
【００８６】
以上のように、第４実施形態に係る電子カメラ１００ａの動作が行われる。
【００８７】
このように、第４実施形態では、表示装置３０をカメラ本体２０ａから取り外し可能な電子カメラ１００ａにおいて、表示モニタ３２の表示面に対する撮像素子３の撮像面の相対位置に基づいて、ズームレンズ１３の駆動を制御する。具体的には、表示モニタ３２よりも撮像素子３が上方にある場合には、ハイアングル撮影と判断し、表示モニタ３２から撮像素子３までの距離が大きいほど、撮影倍率が大きくなるように、ズームレンズ１３をテレ側に駆動させる。反対に、表示モニタ３２よりも撮像素子３が下方にある場合には、ローアングル撮影と判断し、表示モニタ３２から撮像素子３までの距離が大きいほど、撮影倍率が小さくなるように、ズームレンズ１３をワイド側に駆動させる。これにより、表示装置３０がカメラ本体２０ａから取り外し可能な電子カメラ１００ａにおいて、ハイアングル撮影およびローアングル撮影を行う場合でも、第１実施形態と同様に、被写体が撮影範囲から外れてしまうことを有効に防止することができる。
【００８８】
《第５実施形態》
次に、本発明の第５実施形態について説明する。第５実施形態に係る電子カメラ１００ａは、第４実施形態に係る電子カメラ１００ａと同様の構成を備え、以下に説明するように動作すること以外は、第２実施形態に係る電子カメラ１００と同様に動作する。
【００８９】
第５実施形態に係るＣＰＵ５は、表示モニタ３２の表示面に対して、撮像素子３の撮像面が上方となる場合も、下方となる場合も、撮影倍率が小さくなるように、ズームレンズ１３をワイド側に駆動させる。
【００９０】
さらに、第５実施形態において、ＣＰＵ５は、表示モニタ３２の表示面に対して、撮像素子３の撮像面が左方向あるいは右方向にずれている場合も、撮影倍率が小さくなるように、ズームレンズ１３をワイド側に駆動させる。
【００９１】
なお、第５実施形態においては、表示装置３０にも位置検出センサ９ａを備え、カメラ本体２０ａに備えた位置検出センサ９ａにより撮像素子３の撮像面の傾きを検出するとともに、表示装置３０に備えた位置検出センサ９ｂにより表示モニタ３２の表示面の傾きを検出することで、表示モニタ３２の表示面に対する撮像素子３の撮像面の左右方向における相対位置を検出する構成としてもよい。具体的には、撮像素子３の撮像面が向いている方向の逆の方向と、表示モニタ３２の表示面が向いている方向とが交差する位置に、撮影者が存在すると判断し、撮像素子３と表示モニタ３２と撮影者との位置関係から、表示モニタ３２の表示面に対して撮像素子３の撮像面が右方向にあるか、左方向にあるかを判断する構成とすることができる。さらに、たとえば、撮影者がスマートフォンなどの携帯端末を携帯している場合に、この携帯端末から撮影者の位置情報を取得することで、撮像素子３と表示モニタ３２と撮影者との位置関係から、表示モニタ３２の表示面に対して撮像素子３の撮像面が右方向にあるか、左方向にあるかを判断する構成とすることもできる。
【００９２】
これにより、第５実施形態では、たとえば、撮影者が前方の障害物を避けるために、カメラ本体２０ａを保持する方の腕を左方向または右方向に伸ばして撮影を行う場合も、撮影倍率が小さくなり、電子カメラ１００の撮影範囲が広がるため、カメラ本体２０ａを保持する方の腕を左方向または右方向に伸ばしたために、撮影者の姿勢が不安定となり、手振れが生じやすい場合でも、被写体を適切に撮影範囲内に収めることが容易となる。
【００９３】
なお、ＣＰＵ５は、表示モニタ３２と撮像素子３との距離が大きくなるほど、撮影倍率が小さくなるように、ズームレンズ１３をワイド側に駆動させることができる。また、撮像素子３が表示モニタ３２よりも左方向または右方向にある場合よりも、撮像素子３が表示モニタ３２よりも上方または下方にある場合の方が、撮影者の姿勢が不安定となり易い傾向にあるため、ＣＰＵ５は、撮像素子３が表示モニタ３２よりも上方または下方にある場合には、撮像素子３が表示モニタ３２よりも左方向または右方向にある場合よりも、撮影倍率が小さくなるように、ズームレンズ１３をワイド側に駆動させることができる。
【００９４】
さらに、第５実施形態において、ＣＰＵ５は、第２実施形態と同様に、表示モニタ３２に対する撮像素子３の相対位置に応じてズームレンズ１３をワイド側に駆動させた後、一定時間が経過した場合に、ワイド側に駆動させたズームレンズ１３のレンズ位置を徐々に、駆動前のレンズ位置まで戻す。また、ＣＰＵ５は、第２実施形態と同様に、表示モニタ３２に対する撮像素子３の相対位置が変化する前の撮影倍率が大きいほど、撮像素子３の相対位置の変化前後における撮影倍率の変化量が大きくなくように、ズームレンズ１３を駆動する。さらに、ＣＰＵ５は、第２実施形態と同様に、撮像素子３が表示モニタ３２よりも上方にある場合には、撮像素子３が表示モニタ３２よりも下方にある場合よりも、撮像素子３の相対位置の変化前後の撮影倍率の変化量が大きくなるように、ズームレンズ１３をワイド側に駆動する。
【００９５】
次いで、図１２に基づいて、第５実施形態に係る電子カメラ１００ａの動作例を説明する。図１２は、第５実施形態に係る電子カメラ１００ａの動作を示すフローチャートである。
【００９６】
まず、ステップＳ５０１では、ＣＰＵ５により、撮影倍率が、表示モニタ３２の表示面に対する撮像素子３の撮像面の相対位置が変化する前の撮影倍率として検出される。そして、ステップＳ５０２では、ＣＰＵ５により、表示モニタ３２の表示面に対する撮像素子３の撮像面の相対位置の検出が行われる。
【００９７】
ステップＳ５０３では、ＣＰＵ５により、表示モニタ３２の表示面に対する撮像素子３の撮像面の相対位置が変化したか否かの判断が行われる。表示モニタ３２の表示面に対する撮像素子３の撮像面の相対位置が変化した場合には、ステップＳ５０３に進み、一方、表示モニタ３２の表示面に対する撮像素子３の撮像面の相対位置が変化していない場合には、ステップＳ５０１に戻り、撮影倍率の検出と、表示モニタ３２の表示面に対する撮像素子３の撮像面の相対位置の検出とが繰り返し行われる。なお、ＣＰＵ５は、このステップＳ５０３において、表示モニタ３２の表示面と撮像素子３の撮像面とが所定距離以上変化した場合に、表示モニタ３２の表示面に対する撮像素子３の撮像面の相対位置が変化したと判断することができる。
【００９８】
そして、ステップＳ５０４では、ＣＰＵ５により、ステップＳ５０２で検出された表示モニタ３２の表示面に対する撮像素子３の撮像面の相対位置に基づいて、表示モニタ３２に対して、撮像素子３が存在する方向が検出される。具体的には、ＣＰＵ５は、表示モニタ３２に対して、撮像素子３が上方、下方、右方向、左方向のいずれの方向に存在するかを検出する。
【００９９】
ステップＳ５０５では、ＣＰＵ５により、ステップＳ５０１，Ｓ５０２，Ｓ５０４の検出結果に基づいて、ズームレンズ１３の駆動量の算出が行われる。具体的には、ＣＰＵ５は、ステップＳ５０１で検出した表示モニタ３２に対する撮像素子３の相対位置が変化する前の撮影倍率と、ステップＳ５０２で検出した表示モニタ３２に対する撮像素子３の現在の相対位置と、ステップＳ５０４で検出した表示モニタ３２に対して撮像素子３が存在する方向とに基づいて、目標とする撮影倍率を決定し、目標とする撮影倍率が得られるように、ズームレンズ１３の駆動量を算出する。そして、ステップＳ５０６では、ステップＳ５０５で算出されたズームレンズ１３の駆動量に基づいて、ズームレンズ１３の駆動が行われる。
【０１００】
ステップＳ５０７，Ｓ５０８では、第２実施形態のステップＳ２０７，Ｓ２０８と同様に、ズームレンズ１３の駆動を行った後に、一定時間が経過したか否かの判断が行われ、一定時間が経過したと判断された場合には、ズームレンズ１３のレンズ位置を、表示モニタ３２の表示面に対する撮像素子３の撮像面の相対位置が変化する前のレンズ位置まで戻す処理が行われる。
【０１０１】
以上のように、第５実施形態に係る電子カメラ１００ａの動作が行われる。
【０１０２】
このように、第５実施形態では、表示装置３０をカメラ本体２０ａから取り外し可能な電子カメラ１００ａにおいて、表示モニタ３２の表示面に対する撮像素子３の撮像面の相対位置が変化した場合に、撮影倍率が小さくなるように、ズームレンズ１３をワイド側に駆動することで、ハイアングル撮影またはローアングル撮影を行う場合でも、第２実施形態と同様に、被写体を撮影範囲内に適切に収めることができるため、ハイアングル撮影またはローアングル撮影において、被写体を適切に撮影することができる。
【０１０３】
《第６実施形態》
次に、本発明の第６実施形態について説明する。第６実施形態に係る電子カメラ１００ａは、第４実施形態に係る電子カメラ１００ａと同様の構成を備え、以下に説明するように動作すること以外は、第４実施形態に係る電子カメラ１００ａと同様に動作する。
【０１０４】
具体的には、第６実施形態おいて、ＣＰＵ５は、表示モニタ３２よりも撮像素子３が上方にあり、ハイアングル撮影を行っていると判断される場合には、撮影倍率が小さくなるように、ズームレンズ１３をワイド側に駆動させる。一方、ＣＰＵ５は、表示モニタ３２よりも撮像素子３が下方にあり、ローアングル撮影を行っていると判断される場合には、撮影倍率が大きくなるように、ズームレンズ１３をテレ側に駆動させる。
【０１０５】
図１３は、第６実施形態に係る電子カメラ１００ａの動作を示すフローチャートである。
以下に、図１３に基づいて、第６実施形態に係る電子カメラ１００ａの動作例を説明する。
【０１０６】
まず、ステップＳ６０１，Ｓ６０２では、第４実施形態のステップＳ４０１，Ｓ４０２と同様に、表示モニタ３２の表示面に対する撮像素子３の撮像面の相対位置の取得が行われ（ステップＳ６０１）、表示モニタ３２よりも撮像素子３が上方にあるか否かの判断が行われる（ステップＳ６０２）。
【０１０７】
表示モニタ３２よりも撮像素子３が上方にある場合には、ステップＳ６０３に進み、ＣＰＵ５により、表示モニタ３２から撮像素子３までの距離が大きいほど、撮影倍率が小さくなるように、ズームレンズ１３をワイド側に駆動する処理が行われる。一方、表示モニタ３２よりも撮像素子３が上方にない場合には、ステップＳ６０４に進み、第４実施形態のステップＳ４０４と同様に、表示モニタ３２よりも撮像素子３が下方にあるか否かの判断が行われる。表示モニタ３２よりも撮像素子３が下方にある場合には、ステップＳ６０５に進み、ＣＰＵ５により、表示モニタ３２から撮像素子３までの距離が大きいほど、撮影倍率が大きくなるように、ズームレンズ１３をテレ側に駆動する処理が行われる。
【０１０８】
以上のように、第６実施形態に係る電子カメラ１００ａの動作が行われる。
【０１０９】
このように、第６実施形態では、表示装置３０をカメラ本体２０ａから取り外し可能な電子カメラ１００ａにおいて、表示モニタ３２よりも撮像素子３が上方にあり、ハイアングル撮影を行っていると判断される場合には、表示モニタ３２から撮像素子３までの距離が大きいほど、撮影倍率が小さくなるように、ズームレンズ１３をワイド側に駆動させる。また、表示モニタ３２よりも撮像素子３が下方にあり、ローアングル撮影を行っていると判断される場合には、表示モニタ３２から撮像素子３までの距離が大きいほど、撮影倍率が大きくなるように、ズームレンズ１３をワイド側に駆動させる。これにより、表示装置３０がカメラ本体２０ａから取り外し可能な電子カメラ１００ａにおいて、撮影者がハイアングル撮影およびローアングル撮影を行う場合でも、第４実施形態と同様に、撮影者に不安定な姿勢でズーミング操作を行わせることを省略できるため、被写体が撮影範囲から外れてしまうことを有効に防止することができる。
【０１１０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１１１】
たとえば、上述した実施形態に加えて、三脚を使用しているか否かをさらに判断し、三脚を使用していると判断した場合は、上述した実施形態の電子カメラ１００，１００ａの動作（ズームレンズ１３の駆動制御）を行わない構成としてもよい。三脚を使用している場合には、手振れなどが生じ難いためである。なお、三脚を使用しているか否かの判断方法は、特に限定されないが、たとえば、ジャイロセンサや、電子カメラ１００と三脚との接合を検出するセンサを用いることで、三脚を使用しているか否かを判断することができる。あるいは、操作部８を介して、撮影者が三脚の使用を必要とする撮影メニューを選択した場合に、三脚を使用していると判断することもできる。
【０１１２】
また、上述した実施形態において、被写体の追尾を行う追尾機能をさらに備え、被写体の追尾結果に応じて、ズームレンズ１３の駆動を制御する構成としてもよい。たとえば、上述した第２実施形態では、表示モニタ１０１が上方または下方に向けられた場合に、撮影倍率が小さくなるように、ズームレンズ１３をワイド側に駆動させる構成を例示したが、追尾機能により被写体を検出できている間は、ズームレンズ１３をワイド側に駆動させない構成とすることができる。同様に、第１実施形態および第３〜第６実施形態においても、ズームレンズ１３をワイド側に駆動させる場合に、追尾機能により被写体を検出できている間は、ズームレンズ１３をワイド側に駆動させない構成とすることができる。なお、追尾機能を用いないで被写体を検出している場合も、同様に、被写体が検出されている間は、ズームレンズ１３をワイド側に駆動させない構成とすることができる。
【０１１３】
また、上述した第２実施形態または第５実施形態では、一定時間が経過した場合に、ズームレンズ１３を元のレンズ位置まで戻す動作を開始する構成を例示したが、この構成に限定されず、たとえば、追尾機能により被写体が検出されたタイミングで、ズームレンズ１３を元のレンズ位置まで戻す動作を開始する構成としてもよい。
【０１１４】
さらに、上述した実施形態において、ズームレンズ１３をテレ側に駆動している際に、追尾機能または通常の被写体検出により被写体が検出できなくなった場合には、ズームレンズ１３の駆動を一時的に停止する構成としてもよい。また、この場合に、被写体が再び検出されるまで、ズームレンズ１３の駆動を一時的に停止する構成としてもよい。たとえば、上述した第２実施形態および第５実施形態では、ズームレンズ１３をワイド側に駆動した後、一定時間経過した場合に、ズームレンズ１３をテレ側に駆動する構成を例示したが、この場合に、被写体を検出できなくなった場合には、ズームレンズ１３のテレ側への駆動を一時的に停止することができる。
【０１１５】
さらに、上述した第２実施形態では、カメラ本体２０の光軸Ｌ１と表示モニタ１０１の法線Ｌ２とのピッチ角θが大きいほど、撮影倍率が小さくなるように、ズームレンズ１３をワイド側に駆動する構成を例示したが、この構成に加えて、または、この構成に代えて、カメラ本体２０にジャイロセンサなどのカメラ本体２０の動き量を検出するセンサを設け、カメラ本体２０の動き量が大きいほど、撮影倍率が小さくなるように、ズームレンズ１３をワイド側に駆動させる構成としてもよい。
【０１１６】
加えて、上述した第２実施形態または第５実施形態において、撮影倍率が小さくなるように、ズームレンズ１３をワイド側に駆動させた場合には、被写体に重畳して、被写体の検出枠を表示モニタ１０１，３２上に表示する構成としてもよい。これにより、ズームレンズ１３をワイド側に駆動させた場合でも、撮影者に被写体を適切に認識させることができる。
【０１１７】
さらに、上述した第１実施形態および第２実施形態では、回転軸１０２ａ，１０２ｂを、カメラ本体２０の左側に設ける構成を例示したが、この構成に限定されず、たとえば、回転軸１０２ａ，１０２ｂを、カメラ本体２０の上側、下側、あるいは、右側に設ける構成としてもよい。
【０１１８】
また、上述した第２実施形態では、表示モニタ１０１が上方または下方に向けられた場合に、撮影倍率が小さくなるように、ズームレンズ１３をワイド側に駆動する構成を例示したが、この構成に加えて、さらに、回転軸１０２ａを中心に表示モニタ１０１を回転することで、表示モニタ１０１が左方向または右方向に向けられた場合も、撮影倍率が小さくなるように、ズームレンズ１３をワイド側に駆動する構成としてもよい。また、この場合、表示モニタ１０１が左方向または右方向に向けられた場合よりも、表示モニタ１０１が上方または下方に向けられた場合の方が、撮影倍率の変化量がより大きくなるように、ズームレンズ１３を駆動することが好適である。さらに、この場合には、表示モニタ１０１の左方向または右方向におけるヨー角の大きさと、表示モニタ１０１の上方向または下方向におけるピッチ角の大きさとに基づいて、ズームレンズ１３の駆動量を決定する構成としてもよい。
【０１１９】
加えて、上述した第２実施形態および第５実施形態では、ズームレンズ１３をワイド側に駆動した後に、一定時間が経過した場合に、ズームレンズ１３を元のレンズ位置まで駆動する構成を例示したが、この構成に限定されず、たとえば、ズームレンズ１３を元のレンズ位置まで駆動しない構成としてもよい。また、撮影者が表示部１０を元の角度に戻した場合に、ズームレンズ１３を元のレンズ位置に戻す構成としてもよい。さらに、ズームレンズ１３を、ズームレンズ１３の元のレンズ位置よりもワイド側のレンズ位置まで戻す構成としてもよい。
【０１２０】
また、上述した第４実施形態および第５実施形態では、表示装置３０をカメラ本体２０ａから取り外し可能な電子カメラ１００ａを例示して説明したが、この構成に限定されずに、たとえば、表示装置３０として、スマートフォンやタブレット端末などの表示モニタを備える端末を用いる構成としてもよい。この場合、カメラ本体２０としては、たとえば、図１に示すように、表示部１０を備える構成としてもよいし、あるいは、図１０に示すように、表示部１０を備えない構成としてもよい。
【０１２１】
さらに、上述した実施形態では、カメラ本体２０にズームボタンを備える構成を例示したが、この構成に限定されず、たとえば、表示部１０または表示装置３０がタッチパネルを備え、タッチパネルを操作することで、ズーミング動作を行う構成としてもよい。たとえば、第２実施形態および第５実施形態においては、ズームレンズ１３をワイド側に駆動した後に、一定時間が経過した場合に、ズームレンズ１３を元のレンズ位置まで駆動する構成を例示したが、一定時間が経過した場合に、タッチパネルにズームボタンを表示することで、撮影者がタッチパネルを操作して、ズームレンズ１３を元のレンズ位置まで戻す構成とすることができる。この場合、撮影者は、ハイアングル撮影またはローアングル撮影において、比較的操作が難しい、カメラ本体２０に設置されたズームボタンではなく、ハイアングル撮影またはローアングル撮影においても、比較的操作し易い、タッチパネルに表示されたズームボタンを操作して、ズーミング動作を行うことができる。
【０１２２】
また、上述した実施形態において、撮影者により、上述した実施形態の電子カメラ１００，１００ａの動作を行うためのモードが設定された場合のみに、上述した実施形態の電子カメラ１００，１００ａの動作を行う構成としてもよい。
【０１２３】
また、上述した第１実施形態において、たとえば、撮影者がハイアングル撮影から撮影者の目線での撮影に戻すために、表示モニタ１０１を鉛直方向下方から撮影者の目線方向ｅｌに向けた場合に、表示モニタ１０１が鉛直方向下方に向けられた場合とは反対に、撮影倍率が小さくなるように、ズームレンズ１３をワイド側に駆動する構成としてもよい。同様に、撮影者が、ローアングル撮影から撮影者の目線での撮影に戻すために、表示モニタ１０１を鉛直方向上方から撮影者の目線方向ｅｌに向けた場合には、表示モニタ１０１が鉛直方向上方に向けられた場合とは反対に、撮影倍率が大きくなるように、ズームレンズ１３をテレ側に駆動する構成としてもよい。同様に、他の実施形態においても、撮影者がハイアングル撮影から撮影者の目線での撮影に戻す場合、あるいは、ローアングル撮影から撮影者の目線での撮影に戻す場合に、らハイアングル撮影またはローアングル撮影を行う場合と反対の方向に、ズームレンズ１３を駆動する構成とすることができる。
【０１２４】
なお、上述した実施形態の電子カメラ１００は特に限定されず、例えば、レンズ交換式のカメラ、携帯電話用のカメラなどのその他の光学機器に本発明を適用してもよい。
【符号の説明】
【０１２５】
１００，１００ａ…電子カメラ
２０ａ…カメラ本体
１…撮像光学系
１３…ズームレンズ
３…撮像素子
５…ＣＰＵ
８…操作部
９，９ａ…位置検出センサ
１０…表示部
１８…カメラ側通信部
３０…表示装置
３１…モニタ側通信部
３２…表示モニタ
【図１】
2018197880.tif 000003
【図２】
2018197880.tif 000004
【図３】
2018197880.tif 000005
【図４】
2018197880.tif 000006
【図５】
2018197880.tif 000007
【図６】
2018197880.tif 000008
【図７】
2018197880.tif 000009
【図８Ａ】
2018197880.tif 000010
【図８Ｂ】
2018197880.tif 000011
【図８Ｃ】
2018197880.tif 000012
【図９】
2018197880.tif 000013
【図１０】
2018197880.tif 000014
【図１１】
2018197880.tif 000015
【図１２】
2018197880.tif 000016
【図１３】
2018197880.tif 000017